(57)【要約】【課題】  パネルを汚染することが無く、比較的軽量で十分な強度のあるＡＬＣパネル用のパレットを提供する。【解決手段】  本発明に係るＡＬＣパネル用パレットは、上面デッキプレートと下面デッキプレートとの間に桁を挿入して井桁状に組み合わせて接合されてなるＡＬＣパネル用パレットであって、前記上面デッキプレートと前記桁を木製とし、且つ、前記下面デッキプレートを樹脂製としたことを特徴とする。【選択図】    図１
2009196686.tif 000002
【特許請求の範囲】
【請求項１】
上面デッキプレートと下面デッキプレートとの間に桁を挿入して井桁状に組み合わせて接合されてなるＡＬＣパネル用パレットであって、
前記上面デッキプレートと前記桁を木製とし、且つ、前記下面デッキプレートを樹脂製としたことを特徴とするＡＬＣパネル用パレット。
【発明の詳細な説明】
【技術分野】
【０００１】
本発明は、例えば建築物の外壁材等として用いられるＡＬＣ(軽量気泡コンクリート)パネルを保管、運搬するために使用されるパレットに関するものである。
【背景技術】
【０００２】
軽量気泡コンクリート（ＡＬＣ）パネル（以下、単にパネルという）は、軽量性、耐火性、断熱性に優れた材料として外壁、間仕切壁、屋根、床に使用されている。パネルは工場で高温高圧蒸気で養生されて生産された後、建物に使用するために現場へ出荷される前に工場の屋外に一時的に保管されることがある。保管時にはパネルは数枚から１５枚程度に積層されて木製のパレットに載置されるが、更にその上に木製のパレットに載置されたパネルを載せることがある。
【０００３】
木製パレットに替えて合成樹脂製パレットも使用され、例えば、穴等を下面デッキに設けても曲げモーメントに対する充分な強度・剛性が確保できる合成樹脂製パレットとして、上面パネル及びフォーク差し込み部と、フォーク差し込み方向と直交する横桟とを一体成形で製造したパレットも知られている（例えば、特許文献１参照。）。
また、軽量でかつ剛性が高い高強度のパレットとして、繊維強化樹脂材料層を設けたパレットも知られている（例えば、特許文献２参照。）。
【０００４】
木製パレットを使用する場合には強度は充分あるものの、常時屋外に置かれているため埃がつき、雨が降った場合汚れとともに雨水を吸収してしまう。強度は次第に低下し、そのパレットをパネルの上に載置した場合、木製パレットに浸み込んだ水分の汚れが下段にあるパネルの表面に移ることがあり、パネル表面を汚すという問題があった。
この汚れを防止するためには、汚れの元である雨水がかからないように屋内に保管したり、シートをかぶせたりする方法があるが、費用、作業の手間の問題などから全数のパネルに適用するには困難が生じる。
【０００５】
また、汚れを吸収しないような材質のパレットを使用したり、パレット自体を水分が吸収しないように保護したりする方法が考えられるが、従来の木製のパレットと比較して強度が不足する、重量が増大する、耐久性が低いといった問題が生じる。また、特許文献１や特許文献２に開示されたような特別な材質や製法のパレットを使用すると、コストが増加するなどといった問題から、パネルの保管用に使用されるには至っていなかった。
また、パレットとパネルが直接触れないように、養生用のシートなどを間に挟むといった方法が考えられるが、これもシートのコスト、設置の手間、シート廃棄の問題などのため、実現は難しかった。
【特許文献１】特開平０８−３２４５６７号公報
【特許文献２】特開２０００−１６８７７７号公報
【発明の開示】
【発明が解決しようとする課題】
【０００６】
本発明は上記の問題点を解決すべく提案されたもので、パレットを構成している下面デッキプレートに雨水等の水分が浸み込むのを防ぎ、強度の経年変化を抑えると共に、そのパレットを他のパレットの上部に載せた場合でも、パネル上の積載物の汚染を防止することができる、バランスのとれたパネル用パレットを提供することを目的としたものである。
【課題を解決するための手段】
【０００７】
上記の目的を達成するために、本発明に係るパネル用パレットは、上面デッキプレートと下面デッキプレートとの間に桁を挿入して井桁状に組み合わせて接合されてなるＡＬＣパネル用パレットであって、前記上面デッキプレートと前記桁を木製とし、且つ、前記下面デッキプレートを樹脂製としたことを特徴とするものである。
【発明の効果】
【０００８】
本発明に係るＡＬＣパネル用パレットによれば、地面等にある埃、汚れ、雨水等と接する部分である下面デッキプレートを、埃が付きにくく、水分が浸み込むことのないプラスチック等の樹脂で構成し、その他の部分（上面デッキプレートや桁）を、パレット自体の強度を確保できる木材で構成することで、保管、運搬時のパネルの汚染を防止し、従来の木製パレットを用いた場合と同等の強度を持ち、コストの面でも安価で優れたパネル用パレットを得ることが可能となる。
【発明を実施するための最良の形態】
【０００９】
以下、本発明の実施の形態を詳細に説明する。
通常、パレットは木、樹脂、金属などの材料を用いて、井桁状に組み立てたり、樹脂、金属などの場合は一体成型で作られている。しかし、それらどの場合もほぼ１種類の材料を用いて(釘などの接合材を除く)作られている。本発明は、下面デッキプレートに樹脂を、それ以外の部分（上面デッキプレートや桁）に木を用い、それらを井桁状に組み、釘、スクリューネジなどによって接合されたパレットである。
【００１０】
本発明で、下面デッキプレートに水分を吸収しないプラスチック等の樹脂材料を用いるのは、本発明の目的の通り、パネル上にパレットを積層した際にパレットの汚れ移りを防止するためである。一方、上面に木材を用いるのは、パレットの製作コストが従来の木製パレットに比較して大幅に高くならないようにするために安価なプラスチック、樹脂などを使用すると強度が不足するので、安価で強度の高い木材を使用する。尚、上面デッキプレートはパレットからのパネルの積み替え目的でデッキプレートとパネルが直接接触しないため、汚れに対して木材でも不都合は生じない。
【実施例１】
【００１１】
パネル積層用のパレットは、厚さ１３５ｍｍ、幅５５０ｍｍ、長さ１５００ｍｍのものである。これらを構成する材料は、下面デッキプレート３が厚さ２０ｍｍ、幅９０ｍｍ、長さ１５００ｍｍのリサイクルプラスチック製の板４枚で、上面デッキプレート２が厚さ２５ｍｍ、幅１０５ｍｍ、長さ１５００ｍｍのニュージーランド松材の板４枚で、桁１が厚さ９０ｍｍ、幅５５ｍｍ、長さ５５０ｍｍの同じくニュージーランド松材の板４枚である。これら下面デッキプレート４枚を全体の幅が５５０ｍｍになるように間隔を６３ｍｍあけ均等に４枚を並べ、その上に桁材を直角方向に均等に配置する。またその上に上面デッキプレートを全体の幅が５５０ｍｍとなるように間隔を４３ｍｍあけて均等に４枚を並べる。このように井桁状に組んだ材料を下面デッキプレートについては接合材であるスクリューネジ４、上面デッキプレートについては釘で止めつけた。
【００１２】
下面デッキプレートに用いたリサイクルプラスチックは、不要となったプラスチックを溶融、固化させたものであるが、このリサイクルプラスチックは、新規のプラスチックに比べてコストが低く、強度は木材(ニュージーランド松材)と比較して圧縮強度でほぼ同等、曲げ強度で約７０％の強度を持っている。上面デッキプレートを釘で接合したのは、劣化した際の補修の容易さを検討した結果である。
【００１３】
このように製作したパレットは、ＪＩＳ  Ｚ  ０６０２による曲げ強度試験で、従来の木製パレットとほぼ同等の強度を示した。重量は、従来の木製パレットが約２０ｋｇで、今回のパレットが約２２ｋｇと約１０％の増加にとどまっている。
このパレットを屋外でのパネルの保管に用いた場合、下面デッキプレートに水分が浸み込むことがなく、パネルへの汚染は見られなかった。また、木製パレットの問題の一つである水分による腐朽も防止でき、耐久性の向上が見られた。
また、このように製作したパレットの曲げ強度の経年変化を調べた。結果を図２に示す。比較のため木だけでパレットを作成した場合（ｂ）、樹脂だけでパレットを作成した場合（ｃ）についても経年変化を調べて、結果を図２に併記した。
図から明らかなとおり、本発明のパレットは２年経過しても曲げ強度はあまり下がらないことが判る。これに対して木製のパレットは２年経過すると曲げ強度は半分以下に落ちている。また、樹脂製のパレットは経時変化は少ないものの、元々曲げ強度が低いことが判る。
【図面の簡単な説明】
【００１４】
【図１】本発明のＡＬＣパネル用パレットを下側から見た外観斜視図である。
【図２】パレットの曲げ強度の経年変化を示す図であって、（ａ）は本発明の樹脂と木を組み合わせた場合、（ｂ）は木だけの場合、（ｃ）は樹脂のみの場合を示す。
【符号の説明】
【００１５】
１  桁
２  上面デッキプレート
３  下面デッキプレート
４  接合材であるスクリューネジ
【図１】
2009196686.tif 000003
【図２】
2009196686.tif 000004